(57)【要約】【課題】片側にある固定バネでは枠を仮吊りしにくくし、反対側にある固定バネによって枠が仮吊りされるようにした照明器具を提供する。【解決手段】器具本体４は、下面が開口した箱状に形成され、天井材に設けた開口部に埋め込まれた状態で設置される。枠５は、器具本体の開口と繋がるように貫通孔が設けられ、貫通孔を挟んで対向する一対の内壁５３に取り付けられた固定バネ８Ａ，８Ｂを用いて器具本体４に取り付けられる。固定バネ８Ａ，８Ｂは、内壁５３に取り付けられる中央部８０と、中央部８０の両端から両側に伸び器具本体４の孔４６に挿入される一対の腕部８１を備える。腕部８１の先端には、中央部８０から所定の距離だけ離れた位置に、孔４６の周縁と係止する鉤型の係止部８２が設けられている。一方の固定バネ８Ｂの腕部８１には、中央部８０からの距離が係止部８２よりも短い位置に、孔４６の周縁に係止する段部８３が設けられている。【選択図】図１
2014232713.tif 000002
【特許請求の範囲】
【請求項１】
下面が開口した箱状に形成され、天井材に設けた開口部に埋め込まれた状態で設置される器具本体と、
前記器具本体の内部に収納される光源ユニットと、
前記器具本体の開口と繋がるように貫通孔が設けられ、前記天井材における前記開口部の周縁に上面を当接させた状態で前記器具本体に取り付けられる枠と、
前記貫通孔を塞ぐようにして前記枠に保持される透光性のパネルとを備え、
前記枠は、前記貫通孔を挟んで対向する一対の枠部のそれぞれに取り付けられた固定バネを用いて、前記器具本体に取り付けられ、
前記固定バネは、前記枠部に取り付けられる中央部と、前記中央部の両端からＶ字をなすように両側に伸び、互いの間隔が拡がるような弾性力を発生する一対の腕部とを備え、
前記器具本体には、一対の前記枠部のそれぞれに取り付けられる前記固定バネに対応して、前記腕部が挿入される孔が設けられ、
前記腕部の先端には、前記中央部から所定の距離だけ離れた位置に、前記孔の周縁と係止する鉤型の係止部が設けられ、
一対の前記枠部のうちの一方に取り付けられる前記固定バネの前記腕部には、前記中央部からの距離が前記係止部よりも短い位置に、前記孔の周縁に係止する段部が設けられたことを特徴とする照明器具。
【請求項２】
前記光源ユニットが前記枠に保持され、
前記器具本体の内面には、前記段部を有する前記固定バネが取り付けられた前記枠部に近い側に、外部電源からの電線と前記光源ユニットからの電線を中継接続する端子台が取り付けられ、
前記光源ユニットは、前記段部を有する前記固定バネが取り付けられた前記枠部に近い側から、前記端子台に接続する電線が引き出されるように構成されたことを特徴とする請求項１記載の照明器具。
【請求項３】
前記光源ユニットは、前記端子台と接続される電線を介して前記外部電源から供給された電力を変換して光源を点灯させる点灯装置を備え、
前記点灯装置が、前記段部を有する前記固定バネが取り付けられた前記枠部に近い側に前記電線の接続部が配置されるように前記光源ユニットに取り付けられたことを特徴とする請求項２記載の照明器具。
【発明の詳細な説明】
【技術分野】
【０００１】
本発明は、照明器具に関する。
【背景技術】
【０００２】
照明器具の従来例として特許文献１記載のものを例示する。
【０００３】
特許文献１には、天井に固定された吊りボルトを用いて天井から吊り下げられた状態で固定される器具本体と、システム天井の開口部から下面を露出させた状態で器具本体に取り付けられるＬＥＤユニットを備えた照明器具が記載されている。
【０００４】
ＬＥＤユニットは、ＬＥＤを収納した光源ブロックと、透光性のパネルと、枠体とを備える。枠体は矩形枠状に形成されており、システム天井の開口部の周縁に下側から当接した状態で取り付けられており、枠体の上側に光源ブロックとパネルとが載置されている。
【０００５】
枠体には、中央の開口部分を挟んで対向する一対の枠部分に固定バネが２個ずつ取り付けられている。固定バネはねじりコイルバネからなり、中央のコイル部分からＶ字をなすように伸びる両方の腕には互いに離れる向きに拡がるような弾性力が付与されている。各固定バネの両方の腕は器具本体の内側面に設けられたバネ受けの溝に係止されており、両方の腕が互いに離れる方向に拡がることによって、枠体が上側に引き上げられ、枠体がシステム天井の下面に当接した状態で、枠体が器具本体に取り付けられている。
【先行技術文献】
【特許文献】
【０００６】
【特許文献１】特開２０１２−１４６４９３号公報
【発明の概要】
【発明が解決しようとする課題】
【０００７】
ところで、特許文献１に記載した照明器具では、光源ブロックの交換やパネルの清掃などを行う場合、固定バネのバネ力に抗してＬＥＤユニットを下向きに引っ張ると、各固定バネの両方の腕が溝の縁に押されて、互いに近づく向きに撓められる。各固定バネの両方の腕が互いに近づく向きに撓むことで、枠体が下側に下ろされ、固定バネの腕の先端を折り曲げて形成された係止部位が溝の縁に引っかかることで、光源ブロックが停止する。この状態から片側にある固定バネの両方の腕を互いに近づく向きに曲げて、固定バネの腕を溝から外すと、反対側にある固定バネによって光源ブロックは吊り下げられた状態となり、この仮吊り状態で光源ブロックの交換やパネルの清掃などの作業を行うことができる。
【０００８】
枠体には、中央の開口部分を挟んで対向する一対の枠部分にそれぞれ固定バネが取り付けられているので、どちらの側にある固定バネによっても枠体を吊り下げた状態で保持することが可能である。しかしながら、照明器具が壁際に設置されている場合に、壁に近い側にある固定バネを外してしまうと、反対側の固定バネによって吊り下げられた枠体と壁との間の作業スペースが狭くなり、作業がやりにくいという問題があった。
【０００９】
本発明は、上記課題に鑑みて為されたものであり、その目的とするところは、片側にある固定バネでは枠を仮吊りしにくくし、反対側にある固定バネによって枠が仮吊りされるようにした照明器具を提供することにある。
【課題を解決するための手段】
【００１０】
本発明の照明器具は、下面が開口した箱状に形成され、天井材に設けた開口部に埋め込まれた状態で設置される器具本体と、前記器具本体の内部に収納される光源ユニットと、前記器具本体の開口と繋がるように貫通孔が設けられ、前記天井材における前記開口部の周縁に上面を当接させた状態で前記器具本体に取り付けられる枠と、前記貫通孔を塞ぐようにして前記枠に保持される透光性のパネルとを備え、前記枠は、前記貫通孔を挟んで対向する一対の枠部のそれぞれに取り付けられた固定バネを用いて、前記器具本体に取り付けられ、前記固定バネは、前記枠部に取り付けられる中央部と、前記中央部の両端からＶ字をなすように両側に伸び、互いの間隔が拡がるような弾性力を発生する一対の腕部とを備え、前記器具本体には、一対の前記枠部のそれぞれに取り付けられる前記固定バネに対応して、前記腕部が挿入される孔が設けられ、前記腕部の先端には、前記中央部から所定の距離だけ離れた位置に、前記孔の周縁と係止する鉤型の係止部が設けられ、一対の前記枠部のうちの一方に取り付けられる前記固定バネの前記腕部には、前記中央部からの距離が前記係止部よりも短い位置に、前記孔の周縁に係止する段部が設けられたことを特徴とする。
【００１１】
この照明器具において、前記光源ユニットが前記枠に保持され、前記器具本体の内面には、前記段部を有する前記固定バネが取り付けられた前記枠部に近い側に、外部電源からの電線と前記光源ユニットからの電線を中継接続する端子台が取り付けられ、前記光源ユニットは、前記段部を有する前記固定バネが取り付けられた前記枠部に近い側から、前記端子台に接続する電線が引き出されるように構成されることも好ましい。
【００１２】
この照明器具において、前記光源ユニットは、前記端子台と接続される電線を介して前記外部電源から供給された電力を変換して光源を点灯させる点灯装置を備え、前記点灯装置が、前記段部を有する前記固定バネが取り付けられた前記枠部に近い側に前記電線の接続部が配置されるように前記光源ユニットに取り付けられることも好ましい。
【発明の効果】
【００１３】
本発明の照明器具は、枠を下ろした際に、固定バネが取り付けられた一対の枠部のうち、段部を有する固定バネが取り付けられた一方の枠部は、段部が孔の周縁に係止する位置で止まるから、他方の枠部に比べて器具本体との間にできる隙間が小さく、この隙間に手を入れにくくなる。したがって、段部を有する固定バネの腕部を器具本体の孔から取り外す作業がやりにくくなり、作業者は、段部が設けられていない固定バネの腕部を器具本体の孔から取り外すようになる。よって、片側にある固定バネ（段部が設けられていない固定バネ）では枠を仮吊りしにくくし、反対側にある固定バネ（段部が設けられた固定バネ）によって枠を仮吊りさせるようにした照明器具を提供することができる。
【図面の簡単な説明】
【００１４】
【図１】本発明に係る照明器具の実施形態を上側から見た分解斜視図である。
【図２】同上を下側から見た分解斜視図である。
【図３】同上に用いられる固定バネを示し、（ａ）は正面図、（ｂ）は下面図である。
【図４】同上に用いられる別の固定バネを示し、（ａ）は正面図、（ｂ）は下面図である。
【図５】同上における光源ユニットの分解斜視図である。
【図６】同上における光学部材を示し、（ａ）は表側から見た斜視図、（ｂ）は裏側から見た斜視図、（ｃ）は要部を拡大した斜視図である。
【図７】同上におけるＬＥＤモジュールの要部断面図である。
【図８】同上における光学部材を示し、（ａ）は要部を拡大した平面図、（ｂ）はＢ−Ｂ断面図、（ｃ）はＣ−Ｃ断面図である。
【図９】同上における枠が仮吊りされた状態の斜視図である。
【図１０】同上における枠を器具本体に取り付ける途中の状態を示す斜視図である。
【図１１】同上における枠が器具本体に取り付けられた状態の斜視図である。
【図１２】同上における枠を器具本体から取り外す途中の状態を示し、（ａ）は正面図、（ｂ）は側断面図である。
【図１３】同上における枠を器具本体から取り外す途中の状態を示す斜視図である。
【発明を実施するための形態】
【００１５】
以下、本発明に係る照明器具の実施形態について図面を参照して説明する。
【００１６】
本実施形態の照明器具は、図１、図２及び図９に示すように光源ユニット１と器具本体４と枠５とパネル６と点灯装置７を備える。なお、以下の説明で使用する上下及び前後左右の各方向は、特に断りの無い限り、図１において規定した方向とする。
【００１７】
器具本体４は、図１、図２及び図９に示すように、矩形平板状の天板４０と、天板４０の周縁から下向きに曲げ起こされた側板４１とを有し、下面が開口した矩形箱状に形成されている。各側板４１の下端には、外向きに突出する外鍔４２が側板４１と一体に形成されている。天板４０の中央部分には、幅細の金属板からなる補強部材４２０が取り付けられている（図９参照）。補強部材４２０には複数（例えば３個）の長孔４２１が一列に設けられている。天板４０には、複数の長孔４２１のそれぞれに対応して貫通孔４０２が設けられている。
【００１８】
器具本体４が取り付けられる天井材１００には、器具本体４が下側から挿入される開口部１０１が設けられている（図２参照）。天井材１００の上側にある建物の躯体（図示せず）には、器具本体４を固定するために複数本（例えば３本）の吊りボルト１０２が設けられている。天井材１００に器具本体４を固定するにあたっては、天井材１００の開口部１０１に器具本体４を下側から挿入して、吊りボルト１０２を貫通孔４０２と長孔４２１とに通し、天井材１００における開口部１０１の周縁に外鍔４２を当接させる。この状態で、長孔４２１から下側に突出する吊りボルト１０２にナット（図示せず）をねじ込むと、器具本体４が天井材１００に固定される。
【００１９】
天板４０の下面右側には電源端子台４３及び信号端子台４４が取り付けられている（図９参照）。天板４０には、電源端子台４３及び信号端子台４４の近傍にそれぞれ貫通孔４０１が設けられている。電源端子台４３は電源線（図示せず）を中継接続するために用いられ、電源端子台４３の近傍にある貫通孔４０１に通された電源線と、点灯装置７からの電源線（図示せず）とがそれぞれ接続される。信号端子台４４は信号線（図示せず）を中継接続するために用いられ、信号端子台４４の近傍にある貫通孔４０１に通された信号線と、点灯装置７からの信号線（図示せず）とがそれぞれ接続される。すなわち、点灯装置７には電源端子台４３を介して商用電源（交流電源）が供給され、信号端子台４４を介して調光信号などの信号が入力される。
【００２０】
また左右の側板４１には、上下方向の中間部に段部４５が設けられている。器具本体４の左右方向における幅寸法は、段部４５よりも上側の部位に比べて、段部４５よりも下側の部位の方が幅広に形成されている。左右の段部４５の各々には、２個の孔４６が前後に間隔を開けて形成されている。孔４６は、段部４５から段部４５よりも上側の側板４１にかけて形成されており、後述する固定バネ（固定バネ８Ａ又は固定バネ８Ｂ）の腕部８１が挿入されるようになっている。尚、段部４５に形成された孔４６には、前後方向の両端部に円弧状に湾曲する曲面４７が設けられている。
【００２１】
点灯装置７は、交流の電圧・電流を直流の電圧・電流に変換する電力変換回路や入力端子台７１、２つの出力端子台７２、信号端子台７３などが実装されたプリント配線板（図示せず）を金属製のケース７０に収納して構成される。プリント配線板は左右方向を長手方向とする矩形板状に形成されており、プリント配線板の長手方向一端側に入力端子台７１及び信号端子台７３が実装され、プリント配線板の長手方向他端側には２つの出力端子台７２が実装されている。入力端子台７１及び信号端子台７３が実装されたプリント配線板の一端部と、出力端子台７２が実装されたプリント配線板の他端部は、ケース７０から露出する。
【００２２】
光源ユニット１は、図１、図２及び図５に示すように４つのＬＥＤモジュール２と、反射体３とで構成される。
【００２３】
反射体３は、矩形平板状の取付板３０と、取付板３０の周縁から下向きに曲げ起こされた４つの反射板３１とを有し、下面が開放された箱状に形成されている。また、各反射板３１の下端には、外向きに突出する外鍔３２が反射板３１と一体に形成されている。取付板３０の上面には点灯装置７のケース７０が固定ねじを用いてねじ止めされている。点灯装置７は、ケース７０の長手方向が左右方向と平行し、且つ、入力端子台７１及び信号端子台７３が右側を向くように、取付板３０の後寄りに取り付けられている。
【００２４】
各ＬＥＤモジュール２は、図５に示すように矩形の基板２０と、基板２０の一面（下面）に実装された複数のＬＥＤ２１と、ＬＥＤ２１が実装された領域を除いて、基板２０の下面全体を覆うシート状の反射部材２２と、光学部材２３とを備える。本実施形態では基板２０と反射部材２２と光学部材２３とが平面視正方形状に形成されているが、基板２０、反射部材２２、光学部材２３の形状は正方形に限らず、適宜の形状に形成されていればよい。
【００２５】
ＬＥＤ２１は、市販されているパッケージ型の白色ＬＥＤである。基板２０の下面には、左右方向及び前後方向にそれぞれ所定の間隔を開けて複数のランド（図示せず）が設けられている。複数のＬＥＤ２１は、それぞれ対応するランドに電極（図示せず）が半田接合されることによって、基板２０の下面に実装（表面実装）されている。
【００２６】
基板２０の下面には、上記した複数のランドが一定の間隔で縦横に並べて形成されており、ランド間を電気的に接続する導体箔（銅箔）が、所望の回路を形成するようにパターニングされている。また、基板２０の下面には、短手方向中央部の外縁にレセプタクルコネクタ２４が実装されている（図５参照）。レセプタクルコネクタ２４は、基板２０に形成された導体箔を介して、ランドに半田付けされたＬＥＤ２１と電気的に接続されており、点灯装置７からの出力線に結線されたプラグコネクタ（図示せず）と抜き差し自在に接続される。
【００２７】
本実施形態では、全てのＬＥＤ２１を直列に接続するような導体箔が基板２０にパターニングされており、レセプタクルコネクタ２４にプラグコネクタが接続された状態では、点灯装置７の出力間に全てのＬＥＤ２１が直列に接続されることになる。なお、基板２０には複数のＬＥＤ２１を並列に接続するような回路が形成されていてもよいし、複数個のＬＥＤ２１の直列回路が複数並列に接続されるような回路が形成されていてもよい。また、必ずしも全てのランドにＬＥＤ２１を実装する必要は無く、いくつかのランドを間引いてＬＥＤ２１を実装しても構わない。
【００２８】
反射部材２２は、合成ゴムや合成樹脂などの絶縁材料からなるシート材の表面（下面）に反射率が相対的に高い物質からなる反射層が形成されてなる。反射部材２２には、基板２０に実装されたＬＥＤ２１とそれぞれ対応する位置に複数の貫通孔２２０が形成されている。反射部材２２は、基板２０の下面全体に接するように、基板２０と重ねて配置されており、反射部材２２が基板２０に重ねて配置された状態では、反射部材２２の貫通孔２２０から対応するＬＥＤ２１が露出している。そして、反射部材２２が基板２０に重ねて配置された状態では、ＬＥＤ２１から反射部材２２に直接入射した光や、光学部材２３の内部で反射或いは屈折されて反射部材２２に入射した光が、反射部材２２によって下側へ反射される。なお本実施形態では、反射部材２２は、透光性を有する透明な両面テープ（図示せず）を用いて、光学部材２３の上面に貼り付けられているが、反射部材２２は基板２０の下面に貼り付け固定されてもよい。また反射部材２２は両面テープによる貼り付け以外の方法で光学部材２３又は基板２０に固定されてもよい。
【００２９】
光学部材２３は、図５〜図８に示すように、複数（図示例では６４個）のレンズ２３０と、複数のレンズ２３０を結合する結合部２３１とを、透光性を有する合成樹脂（例えばアクリル樹脂）で一体に成形することによって構成されている。
【００３０】
レンズ２３０は、複数あるＬＥＤ２１の各々に対応して設けられ、対応するＬＥＤ２１からの照射光を所望の領域に配光する。レンズ２３０は、図７に示すように、回転放物面形状に形成されてＬＥＤ２１から放射される光が入射する入射面２３００と、入射面２３００から入射した光を伝搬する伝搬部２３０１と、伝搬部２３０１を伝搬した光が出射する出射面２３０２とを備える。出射面２３０２は、中心点（光軸との交点）の周囲がＬＥＤ２１の方へ凹み、その周囲がＬＥＤ２１から離れる向き（図７における上向き）に凸となる曲面に形成されている。伝搬部２３０１は、入射面２３００と出射面２３０２とで囲まれた領域（樹脂成形体）となる。
【００３１】
光学部材２３における基板２０側の面には、図６（ｂ）及び図７に示すように、入射面２３００の開口端の周りに丸穴状に窪んだ凹所２３０３が設けられている。凹所２３０３は出射面２３０２を構成する回転放物面と中心軸が一致するように設けられている。凹所２３０３の底面は入射面２３００と繋がっており、光学部材２３が反射部材２２の上面に重ねて配置された状態では、凹所２３０３の内側にＬＥＤ２１が収納されるようになっている。ここにおいて、凹所２３０３の内径寸法Ｘ１は、入射面２３００の開口部の内径寸法Ｘ２よりも大きく、且つ、出射面２３０２の外径寸法Ｘ３よりも小さくなっている（Ｘ２＜Ｘ１＜Ｘ３）。
【００３２】
凹所２３０３は、深さ寸法がＬＥＤ２１の高さ寸法以上となるように形成されているので、光学部材２３が熱膨張してもＬＥＤ２１に当たり難い。また凹所２３０３は、ＬＥＤ２１の電極が半田接合されるランドと、深さ方向（上下方向）から見て重ならない内径寸法に形成されている。故に、ＬＥＤ２１から放射される光のうち、凹所２３０３の底面に入射する光をレンズ２３０で制御することができる。
【００３３】
ただし、凹所２３０３の底面に入射して出射面２３０２から出射する光の強度は、入射面２３００における凹所２３０３との境界近くに入射して出射面２３０２から出射する光の強度よりも相対的に高くなる。そのため、レンズ２３０の周囲に光の筋が見えることがある。このような光の筋の発生を抑えるため、基板２０と対向する凹所２３０３の底面が、ＬＥＤ２１から離れるにつれて深さ寸法が大きくなる傾斜面として形成されることが好ましい（図７参照）。凹所２３０３の底面を傾斜面とすれば、ＬＥＤ２１から放射される光が凹所２３０３の底面に直接入射しにくくなり、上述のような光の筋の発生を抑えることができる。さらに、入射面２３００と凹所２３０３との境界部分を、ＬＥＤ２１に向かって突出する曲面形状に形成すれば、光の筋の発生をより抑えることができる。
【００３４】
また光学部材２３における反射部材２２側の面には、反射部材２２との間に隙間を形成するための段部２３４が、光学部材２３の外周全体に形成されている。ＬＥＤモジュール２が組み立てられた状態では、段部２３４と反射部材２２との間に隙間ができ、この隙間に基板２０に接続される電線が挿入されるようになっている。したがって、基板２０の外周に電線を配線するためのスペースを確保する必要がなく、照明器具の小型化を図ることができる。また、隣接するＬＥＤモジュール２の間に電線を配線するスペースを設ける場合に比べ、隣り合うＬＥＤモジュール２同士を近づけて設置できるから、複数のＬＥＤモジュール２を搭載する照明器具の小型化、並びに発光面の均斉度の向上を図ることができる。
【００３５】
また光学部材２３における反射部材２２側の表面には、少なくとも結合部２３１に対応する領域であって、本実施形態では凹所２３０３を除く全面（段部２３４の上面も含む）に、光を拡散させるための微小な凹凸形状が形成されている。図６（ｃ）は光学部材２３を裏側から見た要部拡大斜視図であり、図示する範囲ではハッチングを施した領域に光を拡散させるための凹凸形状が形成されている。
【００３６】
このように光学部材２３の上面には凹凸形状が形成されているから、ＬＥＤ２１の光が光学部材２３の内部で反射されて結合部２３１に入射すると、結合部２３１に形成された凹凸形状で拡散され、反射部材２２で反射されて、結合部２３１から外部に出射される。したがって、結合部２３１から外部に出射する光量が増加して、結合部２３１が暗く見えるのを抑制できる。また段部２３４における反射部材２２との対向面にも微小な凹凸形状が形成されているので、段部２３４が明るくなって筋状に見えるのを抑制でき、明るさにムラができるのを抑制できる。
【００３７】
なお、本実施形態では光学部材２３を樹脂成形する金型の表面にシボ加工を施すことによって、光学部材２３の表面に微小な凹凸形状を転写している。金型の表面にシボ加工を施す方法としては、エッチングによる化学処理や、例えばサンドブラスト加工のように鏡面仕上げとせずに表面を粗めに仕上げる研磨処理や、ローレット加工などがある。
【００３８】
光学部材２３の上面には、両面テープを用いて反射部材２２が貼り付け固定されている。反射部材２２が貼り付け固定された光学部材２３は、基板２０とともに取付板３０にねじ止めして取り付けられる。光学部材２３には、それぞれ固定ねじを通すための４個の貫通孔２３５が、正方形の頂点をなす位置に形成されている。基板２０及び反射部材２２にも、光学部材２３に重ねられた状態で貫通孔２３５と繋がるように貫通孔（図示せず）が形成されている。而して、基板２０に、反射部材２２が貼り付けられた光学部材２３を重ね、光学部材２３に設けた貫通孔２３５と、基板２０及び反射部材２２にそれぞれ設けた貫通孔（図示せず）とに固定ねじ（図示せず）を通し、この固定ねじを取付板３０のねじ孔にねじ込む。これにより、基板２０と反射部材２２と光学部材２３とが取付板３０に固定される。
【００３９】
また、光学部材２３には、基板２０に実装されたレセプタクルコネクタ２４（接続部）との干渉を避けるための凹溝２３６が、光学部材２３の外周縁から２つのレンズ２３０の間を通るように形成されている。凹溝２３６の開口付近の両端面には、レセプタクルコネクタ２４に接続される電線（図示せず）を基板２０との間で保持する保持爪２３７がそれぞれ形成されている。光学部材２３は樹脂成形により形成されており、凹溝２３６などの部品形状を形成するための金型の形状によって、凹溝２３６の両側にあるレンズ２３０を所望のレンズ形状に形成することができなくなっている。すなわち、凹溝２３６の両側にあるレンズ２３０は、表面の一部２３０ａ（図８中にハッチングを施した範囲）が所望のレンズ形状と異なる形状に形成されている。そのため、この表面の一部２３０ａから出射する光によって明るさにムラが生じる可能性があるが、本実施形態ではこの表面の一部２３０ａにも光を拡散させる凹凸形状が形成されているので、明るさのムラが抑制される。尚、本実施形態では、表面の一部２３０ａの面粗さを、光学部材２３の上面（反射部材２２側の面）の面粗さに比べて大きくしており、レンズ２３０を透過する光に明るさのムラができるのを抑制している。
【００４０】
ＬＥＤモジュール２が組み立てられた状態では、ＬＥＤ２１から照射された光の大部分は、光学部材２３の入射面２３００から伝搬部２３０１内に入射し、伝搬部２３０１の内部を進行して、出射面２３０２から外部へ直接出射する。またＬＥＤ２１から照射された光の一部は、入射面２３００又は凹所２３０３の端面を通って光学部材２３の内部に進入し、光学部材２３と外部との境界面で屈折或いは反射された後、光学部材２３の上面（反射部材２２側の面）を透過して反射部材２２に入射する。光学部材２３の上面（反射部材２２側の面）には凹所２３０３を除く全面に凹凸形状が形成されているので、この凹凸形状によって拡散された光が反射部材２２に入射する。反射部材２２に入射した光は、反射部材２２で反射された後、光学部材２３内に再び進入し、結合部２３１の下面から下方へと照射される。
【００４１】
このように、本実施形態のＬＥＤモジュール２では、光学部材２３の反射部材２２側の表面において、結合部２３１に対応する部位に光を拡散させる凹凸形状が設けられるように光学部材２３が構成されている。すなわち、ＬＥＤモジュール２では、基板２０の一面に接するように反射部材２２が配置され、反射部材２２の基板２０と反対側の面に接するように光学部材２３が配置されているので、基板２０と反射部材２２との間、或いは、反射部材２２と光学部材２３の間に隙間が設けられている場合に比べて、ＬＥＤモジュール２の厚み寸法を小さくできる。さらに、光学部材２３における反射部材２２側の表面には、結合部２３１に対応する部位に凹凸形状が形成されているので、ＬＥＤ２１からの光が光学部材２３の内部で反射されて結合部２３１に入射すると、結合部２３１に形成された凹凸形状で拡散されるとともに反射部材２２で反射されて、結合部２３１から外部に出射されるから、結合部２３１の明るさが明るくなり、明るさのムラを低減できる。したがって、明るさのムラを低減しつつ、小型化を図ったＬＥＤモジュール２を実現することができる。
【００４２】
また入射面２３００の開口端の周りに凹所２３０３が形成されることによって、ＬＥＤ２１を収納する空間が入射面２３００の内側の空間と凹所２３０３を合わせた空間となる。したがって、凹所２３０３が設けられておらず入射面２３００の内側の空間にＬＥＤ２１が収納される場合に比べて、凹所２３０３が設けられた場合はＬＥＤ２１の周囲の空間が拡大されるので、ＬＥＤ２１の温度上昇が抑制される。よって、光学部材２３を形成する材料として耐熱温度が比較的に低い材料（例えば、アクリル樹脂）を用いつつ、ＬＥＤ２１に流す電流を大きくして高輝度化を図ることができる。
【００４３】
次に、光源ユニット１及びパネル６を保持して器具本体４に取り付けられる枠５について説明する。
【００４４】
枠５は、図１、図２及び図９に示すように、矩形の貫通孔５２が中央に設けられた底壁５０と、底壁５０の周縁から上向きに突出する側壁５１とを備える。また底壁５０の上面には、側壁５１よりも内側寄りの部位から、側壁５１と平行し且つ上向きに突出するように内壁５３が設けられている。底壁５０の上側には、内壁５３によって囲まれる領域にパネル６と光源ユニット１とが重ねて載置される。光源ユニット１の反射体３は取付金具３５を用いて枠５の内壁５３に取り付けられている。取付金具３５は金属板をＬ形に折り曲げて形成されている。取付金具３５の一端側は反射体３の取付板３０にねじ固定され、取付金具３５の他端側は内壁５３にねじ固定されており、光源ユニット１を枠５に固定することによって、光源ユニット１と枠５の間にパネル６が保持される。
【００４５】
枠５には、貫通孔５２を挟んで対向する一対の内壁５３（枠部）のそれぞれに、枠５を器具本体４に取り付けるための固定バネ（固定バネ８Ａ，８Ｂからなる）が、前後方向に間隔を開けて２個ずつ取り付けられている。
【００４６】
固定バネ８Ａ，８Ｂは、それぞれ、弾性係数が比較的高い金属（例えばステンレス鋼など）の線材を曲げ加工することによって形成されている。
【００４７】
固定バネ８Ａは、図３に示すように、コイル状に巻かれた中央部８０と、中央部８０の両端からＶ字をなすように両側に伸び、互いの間隔が拡がるような弾性力を発生する一対の腕部８１とを備える。一対の腕部８１の先端には、それぞれ、中央部８０から所定の距離だけ離れた位置で先端部を外向きに折り曲げることによって、器具本体４の孔４６の周縁に係止する鉤形の係止部８２が形成されている。係止部８２には、器具本体４の表面を保護するために合成ゴムや合成樹脂からなる保護チューブ８４が被せられている。
【００４８】
固定バネ８Ｂは、図４に示すように、腕部８１を除いてほぼ同じ形状に形成されている。固定バネ８Ｂの腕部８１には、中央部８０からの距離が係止部８２に比べて短い位置に、係止部８２と同じ方向に突出して、器具本体４の孔４６の周縁に係止する段部８３が形成されている。
【００４９】
本実施形態では、段部８３が設けられていない固定バネ８Ａの中央部８０が左側の内壁５３に連結金具５４を介して取り付けられ、段部８３が設けられた固定バネ８Ｂの中央部８０が右側の内壁５３に連結金具５４を介して取り付けられている。
【００５０】
パネル６は、透光性を有し且つ拡散材が混入された合成樹脂（例えば、アクリル樹脂）によって矩形平板状に形成されている。ただし、パネル６の縦横寸法は、貫通孔５２の縦横寸法よりも大きく、且つ内壁５３間の距離よりも小さく構成されている。そして、パネル６は、内壁５３の内側に収納されるとともに、底壁５０における内壁５３の内側の部分に載置されて貫通孔５２を塞いでいる（図１及び図２参照）。なお、底壁５０に載置されたパネル６の上には光源ユニット１が載置され、光源ユニット１の反射体３を取付金具３５を用いて枠５に固定することで、パネル６が光源ユニット１と枠５の間に保持される。
【００５１】
本実施形態の照明器具の各部は上記のような構成を有しており、この照明器具を天井材１００に取り付ける手順を図９〜図１２に基づいて説明する。
【００５２】
作業者は、天井材１００の開口部１０１に下側から器具本体４を挿入し、外鍔４２の上面を開口部１０１の周縁部に当接させた状態で、器具本体４を吊りボルト１０２に固定する。器具本体４の内部には、天井材１００の裏側に先行配線された電源線及び信号線が貫通孔４０１を通して導入されており、作業者は、電源線を電源端子台４３に接続するとともに、信号線を信号端子台４４に接続する。
【００５３】
このようにして天井材１００に取り付けられた器具本体４に対して、パネル６及び光源ユニット１が取り付けられた枠５を取り付ける。
【００５４】
作業者は、枠５の右側に取り付けられた２個の固定バネ８Ｂの腕部８１を持ち、各固定バネ８Ｂが備える一対の腕部８１の先端側が近づく向きに腕部８１を撓め、腕部８１の先端を対応する器具本体４の孔４６に挿入し、係止部８２を孔４６の周縁に引っ掛ける。これにより、枠５は、右側の内壁５３に取り付けられた２個の固定バネ８Ｂによって、器具本体４から吊り下げられた状態となる（図９参照）。尚、孔４６の前後方向の両端面は、円弧状に湾曲した曲面４７となっており、腕部８１は外向きに開く方向の弾性力を発生しているので、曲面４７の中間部、すなわち孔４６の前後方向における開口幅が最大となる部位に腕部８１が位置することになる。
【００５５】
次に、作業者は、図９に示す状態から枠５の下側を上方に持ち上げ、枠５の左側（図９における下側）に取り付けられた２個の固定バネ８Ａを、対応する器具本体４の孔４６に順番に係止させる。作業者は、各固定バネ８Ａが備える一対の腕部８１を互いに近づく向きに撓め、腕部８１の先端を器具本体４の左側の孔４６に挿入し、係止部８２を孔４６の周縁に引っ掛ける。これにより、枠５は両側の固定バネ８Ａ，８Ｂで吊り下げられた状態となる（図１０参照）。
【００５６】
この状態から作業者が枠５を上側に押し上げると、固定バネ８Ａ，８Ｂがそれぞれ備える一対の腕部８１がその弾性力によって外側に拡がっていき、固定バネ８Ａ，８Ｂのバネ力によって、枠５が上側に引き上げられる。そして、側壁５１の上端が天井材１００の下面と当接し、枠５が天井材１００の下面に取り付けられた状態となる（図１１参照）。
【００５７】
本実施形態の照明器具は上記のような手順で天井材１００に取り付けられる。次に、照明器具が天井材１００に取り付けられた状態から枠５を取り外す作業について説明する。
【００５８】
作業者が、固定バネ８Ａ，８Ｂのバネ力に抗して枠５を下側に引っ張ると、固定バネ８Ａ，８Ｂがそれぞれ備える一対の腕部８１は、その先端が互いに近づく向きに撓められ、それに応じて枠５が下側に引き下ろされる（図１２及び図１３参照）。固定バネ８Ａには段部８３が設けられていないので、２個の固定バネ８Ａで支持された枠５の左側は、固定バネ８Ａの係止部８２が孔４６の周縁に引っかかる位置まで下ろされる。一方、２個の固定バネ８Ｂで支持された枠５の右側は、固定バネ８Ｂの段部８３が孔４６の周縁に引っかかる位置で止まることになる。
【００５９】
ここで、中央部８０から係止部８２までの距離に比べて、中央部８０から段部８３までの距離は短い距離に設定されているので、枠５は、固定バネ８Ａで支持された側が下側となるように傾いた状態となる。この状態で、固定バネ８Ｂによって支持された枠５の右側部（図１２中の左側部）と器具本体４の間の隙間は、大人の手の指が入られない程度の狭い隙間となるように、中央部８０から段部８３までの距離が設定されている。したがって、作業者は、固定バネ８Ｂが備える一対の腕部８１を撓めることができず、固定バネ８Ａが備える一対の腕部８１を撓めて、固定バネ８Ａの係止部８２を孔４６の周縁から外すことになる。そして、２個の固定バネ８Ａの係止部８２がそれぞれ孔４６の周縁から外されると、枠５は２個の固定バネ８Ｂによって器具本体４から吊り下げられた状態となるので、この状態で光源ユニット１の交換などのメンテナンス作業を行うことができる。
【００６０】
ここで、点灯装置７は、入力端子台７１及び信号端子台７３が、固定バネ８Ｂによって支持される内壁５３（枠部）に近くなるように、反射体３に取り付けられているので、器具本体４に取り付けられた端子台４３，４４と端子台７１，７３の間を接続する電線の長さが短くてすむ。その結果、電線の余長分が短くなるから、枠５を器具本体４に取り付ける際に、電線の余長分が器具本体４と枠５の間に噛み込まれる可能性を低減することができる。
【００６１】
尚、図９に示すように枠５が器具本体４から吊り下げ状態で枠５を器具本体４から完全に取り外す場合、作業者は、端子台４３，４４と端子台７１，７３との間の電線を外した後、２個の固定バネ８Ｂの腕部８１を撓ませて、腕部８１を孔４６から取り外せばよい。
【００６２】
また、図９に示す吊り下げ状態から枠５を器具本体４に再び取り付ける場合、作業者は、上述したように枠５の下側を上方に持ち上げ、２個の固定バネ８Ａを対応する器具本体４の孔４６に順番に係止させる。その後、作業者が、枠５を上側に押し上げると、固定バネ８Ａ，８Ｂがそれぞれ備える一対の腕部８１が、その弾性力によって外側に拡がっていき、固定バネ８Ａ，８Ｂのバネ力によって、枠５が上側に引き上げられる。そして、側壁５１の上端が天井材１００の下面と当接し、枠５が天井材１００の下面に取り付けられた状態となる（図１１参照）。
【００６３】
以上説明したように、本実施形態の照明器具は、器具本体４と、光源ユニット１と、枠５と、透光性のパネル６とを備える。器具本体４は、下面が開口した箱状に形成され、天井材１００に設けた開口部１０１に埋め込まれた状態で設置される。光源ユニット１は器具本体４の内部に収納される。枠５は、器具本体４の開口と繋がるように貫通孔５２が設けられ、天井材１００における開口部１０１の周縁に上面を当接させた状態で器具本体４に取り付けられる。パネル６は、貫通孔５２を塞ぐようにして枠５に保持される。枠５は、貫通孔５２を挟んで対向する一対の枠部（本実施形態では内壁５３）のそれぞれに取り付けられた固定バネ８Ａ，８Ｂを用いて、器具本体４に取り付けられる。固定バネ８Ａ，８Ｂは、前記枠部に取り付けられる中央部８０と、中央部８０の両端からＶ字をなすように両側に伸び、互いの間隔が拡がるような弾性力を発生する一対の腕部８１とを備える。器具本体４には、一対の前記枠部のそれぞれに取り付けられる固定バネ８Ａ，８Ｂに対応して、腕部８１が挿入される孔４６が設けられ、腕部８１の先端には、中央部８０から所定の距離だけ離れた位置に、孔４６の周縁と係止する鉤型の係止部８２が設けられている。一対の前記枠部のうちの一方に取り付けられる固定バネ８Ｂの腕部８１には、中央部８０からの距離が係止部８２よりも短い位置に、孔４６の周縁に係止する段部８３が設けられたことを特徴とする。
【００６４】
枠５を下ろした際に、固定バネ８Ａ，８Ｂが取り付けられた一対の前記枠部のうち、段部８３を有する固定バネ８Ｂが取り付けられた一方の前記枠部は、段部８３が孔４６の周縁に係止する位置で止まるから、他方の前記枠部に比べて器具本体４との間にできる隙間が小さく、この隙間に手を入れにくくなる。したがって、段部８３を有する固定バネ８Ｂの腕部８１を器具本体４の孔４６から取り外す作業がやりにくくなり、作業者は、段部８３が設けられていない固定バネ８Ａの腕部８１を器具本体４の孔４６から取り外すようになる。よって、片側にある固定バネ８Ａ（段部８３が設けられていない固定バネ８Ａ）では枠５を仮吊りしにくくし、反対側にある固定バネ８Ｂ（段部８３が設けられた固定バネ８Ｂ）によって枠５を仮吊りさせるようにした照明器具を提供することができる。
【００６５】
本実施形態の照明器具において、以下の構成をさらに備えることも好ましい。光源ユニット１が枠５に保持され、器具本体４の内面には、段部８３を有する固定バネ８Ｂが取り付けられた前記枠部（内壁５３）に近い側に、外部電源からの電線と光源ユニット１からの電線を中継接続する端子台（電源端子台４３）が取り付けられる。そして、光源ユニット１は、段部８３を有する固定バネ８Ｂが取り付けられた前記枠部に近い側から、前記端子台に接続する電線が引き出されるように構成されることが好ましい。
【００６６】
これにより、光源ユニット１と前記端子台との間を接続する電線の長さを短くでき、この電線の余長分が短くなるから、この電線が枠と器具本体との間に挟まれる可能性を低減できる。
【００６７】
本実施形態の照明器具において、以下の構成をさらに備えることも好ましい。光源ユニット１は、端子台（電源端子台４３）と接続される電線を介して外部電源から供給された電力を変換して光源（ＬＥＤ２１）を点灯させる点灯装置７を備える。そして、点灯装置７が、段部８３を有する固定バネ８Ｂが取り付けられた前記枠部（内壁）に近い側に前記電線の接続部（入力端子台７１）が配置されるように光源ユニット１に取り付けられることも好ましい。
【００６８】
これにより、点灯装置７の接続部と前記端子台との間を接続する電線の長さを短くでき、この電線の余長分が短くなるから、この電線が枠と器具本体との間に挟まれる可能性を低減できる。
【符号の説明】
【００６９】
１  光源ユニット
４  器具本体
５  枠
６  パネル
７  点灯装置
８Ａ，８Ｂ  固定バネ
４３  電源端子台（端子台）
４４  信号端子台（端子台）
４６  孔
５２  貫通孔
５３  内壁（枠部）
７１  入力端子台（接続部）
８０  中央部
８１  腕部
８２  係止部
８３  段部
１００  天井材
１０１  開口部
【図１】
2014232713.tif 000003
【図２】
2014232713.tif 000004
【図３】
2014232713.tif 000005
【図４】
2014232713.tif 000006
【図５】
2014232713.tif 000007
【図６】
2014232713.tif 000008
【図７】
2014232713.tif 000009
【図８】
2014232713.tif 000010
【図９】
2014232713.tif 000011
【図１０】
2014232713.tif 000012
【図１１】
2014232713.tif 000013
【図１２】
2014232713.tif 000014
【図１３】
2014232713.tif 000015